(57)【要約】【課題】プレースタート時刻を各プレー客に確実に通知する表示装置の提供。基幹業務システムに影響を与えない簡易且つ安価な表示装置の提供。【解決手段】パーソナルコンピュータ１２の液晶モニター１１により、ゴルフ場における当日のプレー客の組及びスタート時刻が表示される。この表示は、ＣＣＤカメラ１３により撮像され、接続配線を介してＴＶ受像器１５〜１８によって画像表示される。ＴＶ受像器１５〜１８は、ゴルフ場に予め設置されたテレビが採用される。パーソナルコンピュータ１２は、上記組及びスタート時刻を変更等するための機能を備える。パーソナルコンピュータ１２のオペレータは、必要に応じて上記組及びスタート時刻を変更する。【選択図】　図１
2004008664.tif 000002
【特許請求の範囲】
【請求項１】
少なくともゴルフプレー客が属する組情報及び当該組情報に対応するゴルフプレースタート時刻情報が表示されたスタート情報表示部と、
スタート情報表示部を撮像し、当該撮像された画像を画像データとして出力するＣＣＤカメラと、
上記画像データに基づいて上記画像を形成し表示する受像器とを備えたゴルフプレースタート時刻の表示装置。
【請求項２】
上記スタート情報表示部は、
少なくともゴルフ場における最先スタート時刻情報及びゴルフプレー客が属する組情報が入力される入力手段と、
これら各情報に基づいて各組ごとのゴルフプレースタート時刻が順次決定される時刻決定手段とを備える請求項１記載のゴルフプレースタート時刻の表示装置。
【請求項３】
少なくともゴルフプレー客が属する組情報及び当該組情報に対応するゴルフプレースタート時刻情報が画像としてモニターに表示されたパーソナルコンピュータと、
パーソナルコンピュータに接続され、上記画像を画像データとして出力する画像データ出力手段と、
上記画像データに基づいて上記画像を形成し表示する受像器を備えたゴルフプレースタート時刻の表示装置。
【請求項４】
上記受像器は、当該ゴルフ場内に予め設置されているＴＶ受像器を含む請求項１記載のゴルフプレースタート時刻の表示装置。
【請求項５】
上記受像器は、当該ゴルフ場内に予め設置されているＴＶ受像器を備える請求項３記載のゴルフプレースタート時刻の表示装置。
【請求項６】
上記時刻決定手段は、
決定された上記ゴルフプレースタート時刻を、各組ごとに変更・削除・追加する時刻調整手段を備えている請求項２記載のゴルフプレースタート時刻の表示装置。
【請求項７】
上記パーソナルコンピュータは、
少なくともゴルフ場における最先スタート時刻情報及びゴルフプレー客が属する組情報が入力される入力手段と、
これら各情報に基づいて各組ごとのゴルフプレースタート時刻が順次決定される時刻決定手段とを備え、
当該時刻決定手段は、
決定された上記ゴルフプレースタート時刻を、各組ごとに変更・削除・追加する時刻調整手段を備えている請求項３記載のゴルフプレースタート時刻の表示装置。
【発明の詳細な説明】
【０００１】
【発明の属する技術の分野】
この発明は、ゴルフ場におけるプレー客に対してプレースタート時刻を表示するための表示装置に関するものである。
【０００２】
【従来の技術】
レジャーとしてのゴルフは、１８ホールを１ラウンドとしてプレーされるものであり、通常は、最初のハーフラウンド（例えばインコース９ホール）が一区切りとされ、ハーフタイム（休憩時間等）を挟んで残りのハーフラウンド（例えばアウトコース９ホール）が行われる。
ゴルフ場は、多数のプレー客が同時にプレーするように運営される。そのため、プレー客は、プレー開始前に予め定められた組に分けられ、当該組ごとにインコース及びアウトコースに分けられてプレーが開始される。そして、プレーは、各コースごとに第１組から順に所定時間間隔（例えば５分〜７分間隔等）で開始され、各組に属するプレー客が効率的にコースをまわることができるようになっている。
【０００３】
ところで、各組の開始時刻は、ゴルフ場側（具体的にはプレーの進行を司るキャディマスタ）が行っている。各プレー客へのスタート時刻の通知は、従来から次のようにして行われている。
（１）　最初のハーフラウンドの開始前及び残りのハーフラウンドの開始前に、プレー客一人ひとり又は一組ごとに、キャディやキャディマスター室の担当者が口頭で告げる。
（２）　最初のハーフラウンドの開始前及び残りのハーフラウンドの開始前に、プレー客一人ひとり又は一組ごとに、キャディやキャディマスター室の担当者がスタート時刻を表示した紙片やカードを手渡す。
（３）　ゴルフ場側がレストランやロビー等のプレー客が集まる場所又は通過する通路等に表示装置を設置し、コンピュータ制御された当該表示装置が自動的にプレー客に表示する。
【０００４】
【発明が解決しようとする課題】
しかしながら、上記（１）及び（２）の方法では、人手が必要であるばかりでなく、プレー客が聞き漏らしたり忘れてしまう場合や、手渡された紙片やカードを紛失してしまう場合がある。その場合には、ゴルフ場側は、当該プレー客のスタート時刻を調べ、再度告知しなければならず、円滑なプレーの進行が妨げられるおそれがあるという問題があった。
また、上記（３）　の方法では、上記問題を解決することができ合理的ではあるが、かかるサービスが行われるためには、上記表示装置の制御が、ゴルフ場全体の運営を制御する基幹業務システムと連動される必要があるという新たな問題があった。
【０００５】
すなわち、一般にゴルフ場は、プレー客の予約管理、顧客管理、会員管理及びハンディキャップ管理のほか、キャディ管理、業務管理等のさまざまな管理を行うために、コンピュータを用いた基幹業務システムを備えている。そして、上記（３）の方法を実現するためには、上記各プレー客のスタート時刻の管制を行うためのシステムが、基幹業務システムに組み込まれなければならない。
【０００６】
ところが、基幹業務システムにスタート時刻管制システムが組み込まれると、基幹業務システムがきわめて複雑となり、基幹業務システムが非常に高価なものになってしまうという新たな問題が発生する。
特に、例えばプレー客がスタート時刻に遅刻した場合や体調不良を起こした場合等には、ゴルフ場側は、当該組のスタート時刻を繰り下げたり、他の組との入れ替えを行ったりして、プレー全体が円滑に進行するように調整する必要があるが、その調整を上記基幹業務システムを用いて行わなければならない。そのとき、万一システムが正常に動作しなかった場合には、ゴルフ場側は、他のシステムとの関係を考慮して大変複雑な調整作業を行う必要があり、二次的ミス等が誘発されるおそれもあり、ひいては、ゴルフ場全体の業務が混乱するという危険があった。
【０００７】
そこで、本発明の目的は、プレースタート時刻を各プレー客に確実に通知することができ、しかも基幹業務システムに影響を与えない簡易且つ安価なゴルフプレースタート時刻の表示装置を提供することである。
【０００８】
【課題を解決するための手段】
（１）　本願発明者は、プレースタート時刻を各プレー客に確実に通知するためには、表示装置を用いて自動的にプレー客に表示することが必須であることを前提としつつ、通常ゴルフは組ごとにプレーが進行するものであるところ、上記表示が各プレー客ごとに行われるのではなく当該各プレー客が属する組情報をもって行われるのが合理的であり、また、上記表示装置がゴルフ場の基幹業務システムに組み込まれる方法ではなく、視点を変えて、敢えて基幹業務システムから独立したシステムとされることによって、上記目的を達成することができると考えた。
【０００９】
（２）　そこで、本願に係るゴルフプレースタート時刻の表示装置は、少なくともゴルフプレー客が属する組情報及び当該組情報に対応するゴルフプレースタート時刻情報が表示されたスタート情報表示部と、スタート情報表示部を撮像し、当該撮像された画像を画像データとして出力するＣＣＤカメラと、上記画像データに基づいて上記画像を形成し表示する受像器とを備えたことを特徴とするものである。
【００１０】
この構成によれば、スタート情報表示部によって、各プレー客が属する組情報（例えば、当該組に対応するゴルフカートの番号等）及び当該組のゴルフプレースタート時刻が関連づけられて表示される。このスタート情報表示部による表示は、ＣＣＤカメラで撮像され、ＣＣＤカメラは、画像データとして出力する。
この出力された画像データは受像器に入力され、当該受像器によって画像が形成され改めて画像表示される。ここで、スタート情報表示部による表示は、例えばホワイトボート等にゴルフ場の担当者が手書きで記載したものでもよいし、コンピュータのモニターにより表示されたものでもよい。
【００１１】
すなわち、上記スタート情報表示部による表示は唯一のものであり、これをＣＣＤカメラで撮像されたものが受像器により画像表示される。そして、この受像器がゴルフ場の所定の場所に複数設置されることにより、各プレー客は、自己のゴルフプレースタート時刻を確認することができる。
このように、各プレー客が属する組及びゴルフプレースタート時刻の情報は、ＣＣＤカメラで撮像され受像器により画像表示されるのみであるから、当該画像表示はきわめて簡単なシステムにより行われ、且つゴルフ場の基幹業務システムとは無関係である。
【００１２】
ここで、上記受像器は、当該ゴルフ場内に予め設置されているＴＶ受像器が採用されてもよい。このようにすれば、当該画像表示のシステムを既存のゴルフ場に導入するために、別途受像器を新たに設置する必要がなく、当該画像表示システムの構築は、安価に行われる。
【００１３】
また、上記スタート情報表示部は、少なくともゴルフ場における最先スタート時刻情報及びゴルフプレー客が属する組情報が入力される入力手段と、これら各情報に基づいて各組ごとのゴルフプレースタート時刻が順次決定される時刻決定手段とを備える構成であっても良い。
【００１４】
この構成では、入力手段によりゴルフ場における最先スタート時刻情報及びゴルフプレー客が属する組情報が入力されると、時刻決定手段により各組ごとに順番にゴルフプレースタート時刻が自動的に決定される。これにより、各プレー客は、自己のゴルフプレースタート時刻に従ってプレーを開始することができ、プレーが滞ることがない。
【００１５】
さらに、上記時刻決定手段は、決定された上記ゴルフプレースタート時刻を、各組ごとに変更・削除・追加する時刻調整手段を備えていてもよい。
この構成では、時刻調整手段により、一旦決定されたゴルフプレースタート時刻を、各組ごとに変更・削除・追加することができる。したがって、例えば、プレー客がスタート時刻を遵守できなかった場合や、何らかの原因によりプレーを続行することができなくなった場合等に、組ごとにスタート時刻が変更され、組ごとにプレーが中止され追加される。その結果、ゴルフ場のプレー全体が効率的に進行する。
【００１６】
（３）　また、上記目的を達成するため、本願に係るゴルフプレースタート時刻の表示装置は、少なくともゴルフプレー客が属する組情報及び当該組情報に対応するゴルフプレースタート時刻情報が画像としてモニターに表示されたパーソナルコンピュータと、パーソナルコンピュータに接続され、上記画像を画像データとして出力する画像データ出力手段と、上記画像データに基づいて上記画像を形成し表示する受像器を備えたことを特徴とするものである。
【００１７】
この構成によれば、パーソナルコンピュータのモニターに、各プレー客が属する組情報（例えば、当該組に対応するゴルフカートの番号等）及び当該組のゴルフプレースタート時刻が関連づけられて画像表示される。この画像データは、画像データ出力手段によって取り出され、受像器に入力される。この受像器は、当該画像データに基づいて画像を形成し表示する。
【００１８】
すなわち、上記パーソナルコンピュータのモニターによる表示は唯一のものであり、この画像データに基づいて受像器が画像表示する。そして、この受像器がゴルフ場の所定の場所に複数設置されることにより、各プレー客は、自己のゴルフプレースタート時刻を確認することができる。
このように、各プレー客が属する組及びゴルフプレースタート時刻は、画像データ出力手段により出力された画像データに基づいて受像器により画像表示されるのみであるから、当該画像表示はきわめて簡単なシステムにより行われ、且つゴルフ場の基幹業務システムとは無関係である。
【００１９】
ここで、上記受像器は、当該ゴルフ場内に予め設置されているＴＶ受像器が採用されてもよい。このようにすれば、当該画像表示のシステムを既存のゴルフ場に導入するために、別途受像器を新たに設置する必要がなく、当該画像表示システムの構築は、安価に行われる。
【００２０】
また、上記パーソナルコンピュータは、少なくともゴルフ場における最先スタート時刻情報及びゴルフプレー客が属する組情報が入力される入力手段と、これら各情報に基づいて各組ごとのゴルフプレースタート時刻が順次決定される時刻決定手段とを備え、当該時刻決定手段は、決定された上記ゴルフプレースタート時刻を、各組ごとに変更・削除・追加する時刻調整手段を備えていてもよい。
【００２１】
この構成では、入力手段によりゴルフ場における最先スタート時刻情報及びゴルフプレー客が属する組情報が入力されると、時刻決定手段により各組ごとに順番にゴルフプレースタート時刻が自動的に決定される。これにより、各プレー客は、自己のゴルフプレースタート時刻に従ってプレーを開始することができ、プレーが滞ることがない。
【００２２】
さらに、時刻調整手段により、一旦決定されたゴルフプレースタート時刻を、各組ごとに変更・削除・追加することができる。したがって、例えば、プレー客がスタート時刻を遵守できなかった場合や、何らかの原因によりプレーを続行することができなくなった場合等に、組ごとにスタート時刻が変更され、組ごとにプレーが中止され追加される。その結果、ゴルフ場のプレー全体が効率的に進行する。
【発明の実施の形態】
以下、適宜図面が参照されつつ、好ましい実施形態に基づいて本発明が詳細に説明される。
【００２３】
図１は、本発明の実施の形態に係るゴルフプレースタート時刻の表示装置（以下、単に「表示装置」と称される）１０の構成が模式的に示された図である。
【００２４】
この表示装置１０は、ゴルフ場に設置されるものであり、各プレー客に対して、各プレー客が属する組番号（組情報）と当該組番号に対応するゴルフプレースタート時刻（ゴルフプレースタート時刻。以下、単に「スタート時刻」と称される）とを確実に知らせるためのものである。
表示装置１０は、液晶モニター１１が備えられたパーソナルコンピュータ１２（スタート情報表示部）と、液晶モニター１１に表示された情報を撮像するＣＣＤカメラ１３と、接続配線１４を介してＣＣＤカメラ１３に接続されたＴＶ受像器１５〜１８（受像器）とを有している。上記液晶モニター１１は、上記組番号及びスタート時刻を表示するものである。
【００２５】
本実施形態の特徴とするところは、第１に、表示装置１０が当該ゴルフ場の基幹業務システムとは独立して（無関係に）設置されるものである点、したがって、第２に、上記接続配線１４は、ゴルフ場の基幹業務システムのＬＡＮとは無関係の単純なビデオ配線等により構成され得る点である。以下、表示装置１０の構成がさらに詳しく説明される。
【００２６】
液晶モニター１１は、本実施形態では、前述のようにパーソナルコンピュータ１２の一部として構成されている。このため、液晶モニター１１により表示される上記情報、すなわち組番号及びスタート時刻は、パーソナルコンピュータ１２によって演算処理され、決定されたものである。これら組番号及びスタート時刻は、ゴルフ場の担当者が、プレーの開始前に予め初期データ（後述される初期設定画面に入力されたもの）をパーソナルコンピュータ１２に入力することによって、自動的に決定される。組番号及びスタート時刻の決定は、後述する要領で行われる。
【００２７】
ＣＣＤカメラ１３は公知の構成であり、一般家庭用として使用されているものでも、業務用として使用されているものでもよい。このＣＣＤカメラ１３は、上記液晶モニター１１の全体を撮像するものである。
【００２８】
また、ＴＶ受像器１５〜１８は、ゴルフ場内に設置されているテレビが採用されている。これらＴＶ受像器１５〜１８は、上記ＣＣＤカメラ１３により撮像された画像を表示するものである。本実施形態では、ＴＶ受像器１５〜１８は、それぞれ、ゴルフ場のフロント、ロビー、レストラン及びスタート室（各組のプレー進行を管制する部屋）に予め設置されたものである。
【００２９】
なお、本実施形態では、表示装置１０は、４つのＴＶ受像器１５〜１８を備えているが、さらに数を増やすこともできる。すなわち、ゴルフ場に設置されているあらゆるテレビが、上記ＣＣＤカメラ１３により撮像された画像を表示する表示装置として使用され得る。
【００３０】
接続配線１４は、一般的に使用されるビデオ配線が採用されている。本実施形態では、ＣＣＤカメラ１３から出力される画像データ（出力）を増幅するために増幅器１９が設置されており、さらに、当該画像データが複数のＴＶ受像器１５〜１８に配信されるために、分配器２０が設置されている。なお、これら増幅器１９及び分配器２０は、公知の構成である。
【００３１】
この表示装置１０では、液晶モニター１１によって、各プレー客が属する組番号（具体的には、当該組に対応するゴルフカートの番号等が採用される）及びスタート時刻が関連づけられて表示される。この表示は、ＣＣＤカメラ１３で撮像され、複数のＴＶ受像器１５〜１８によって画像表示される。
【００３２】
さらに詳述すると、この液晶モニター１１を備えるパーソナルコンピュータ１２は、例えばゴルフ場のフロント等のみに設置される。当該パーソナルコンピュータ１２が備える液晶モニター１１による表示は唯一のものであり、これがＣＣＤカメラ１３で撮像されたものがＴＶ受像器１５〜１８により画像表示される。したがって、各プレー客は、ゴルフ場のいずれの場所においても、組番号の表示をもとにして自己のスタート時刻を確認することができる。
【００３３】
しかも、本実施形態のようなＴＶ受像器１５〜１８による画像表示は、ＣＣＤカメラ１３で撮像され、ビデオ配線等の簡単な接続配線１４を介してＴＶ受像器１５〜１８により行われるものであるから、ゴルフ場の基幹業務システムとは無関係である。
したがって、表示装置１０は、簡単な構成で安価なものとなり、しかも、既存のゴルフ場への設置もきわめて容易である。特に、本実施形態では、ＣＣＤカメラ１３の被写体が液晶モニター１１であるから、ＣＣＤカメラ１３で撮像した場合に、いわゆる干渉による画像の乱れが生じることがないという利点もある。
【００３４】
なお、本実施形態では、ＣＣＤカメラ１３の被写体が上記パーソナルコンピュータ１２の液晶モニター１１であるが、各プレー客が属する組番号及びスタート時刻がゴルフ場の担当者によって決定される場合には、ゴルフ場の担当者が組番号及びスタート時刻を例えばホワイトボード等（スタート情報表示部）に記載し、これがＣＣＤカメラ１３により撮像される構成であってもよい。
【００３５】
加えて、本実施形態では、ゴルフ場内に予め設置されているＴＶ受像器１５〜１８によって上記画像表示が行われる。したがって、表示装置１０を既存のゴルフ場に導入するために、別途受像器を新たに設置する必要がなく、きわめてコストが低くなるという利点がある。
【００３６】
また、前述のように、上記組番号及びスタート時刻は、パーソナルコンピュータ１２によって決定される。本実施形態では、パーソナルコンピュータ１２は、上記スタート時刻等を制御する制御装置として機能する。
図２は、パーソナルコンピュータ１２の構成が模式的に示された図である。
パーソナルコンピュータ１２は、キーボード２１（入力手段）と、メモリ２２，２３と、ＣＰＵ２４（時刻決定手段）と、上記液晶モニター１１とを備えている。
【００３７】
パーソナルコンピュータ１２のオペレータは、キーボード２１を操作して、当日のゴルフプレーの最先のスタート時刻（最先スタート時刻情報）、各組間の所定の時間間隔（タイマー）及び組情報等を入力する。この場合、組情報は、当日プレーされるであろう組の数等である。これら入力された情報は、メモリ２２によって記憶される。
【００３８】
ＣＰＵ２４は、上記入力された情報に基づいて所定の演算処理をする。この演算は、予めパーソナルコンピュータ１２に組み込まれたプログラムに従って行われる。そして、ＣＰＵ２４は、各組、すなわち各組に対応する各ゴルフカートのスタート時刻を、最先スタート時刻から上記所定の時間間隔をあけて順番に決定する。すなわち、ＣＰＵ２４は、各組とそのスタート時刻とが関連づけられたスタート時刻データ（ゴルフプレースタート時刻情報）を作成し、これがメモリ２３によって記憶される。
【００３９】
さらに、ＣＰＵ２４は、上記スタート時刻データを液晶モニター１１に表示させる指令信号を出力し、液晶モニター１１は、これに従って各組とそのスタート時刻とを表示する。図３は、スタート時刻データが表示された液晶モニター１１の実際の画面を示している。
なお、この画面の仕様は、予め設計されており、画面の設計は、所定のソフトウェア等により自由に行われる。本実施形態では、画面の右下にデータメンテナンスボタン２５が設けられており、このボタン２５がクリックされることにより、後述されるデータメンテナンスが行われる。
【００４０】
この液晶モニター１１の画面は、図１が示すようにＣＣＤカメラ１３で撮像され、ＴＶ受像器１５〜１８により画像表示される。図４は、液晶モニター１１がＴＶ受像器１５〜１８により実際に画像表示された図である。
【００４１】
また、本実施形態では、前述のように、スタート時刻データは、メンテナンスされることができる。
図５は、スタート時刻データがメンテナンスされるときの液晶モニター１１の画面２６を示している。
【００４２】
この画面２６は、図３が示すデータメンテナンスボタン２５をクリックすることにより表示される。なお、この画面２６の仕様は、予め設計されており、画面の設計は、所定のソフトウェア等により自由に行われる。
この画面２６では、その左側に現在設定されている各組ごとのスタート時刻が一覧表示されている。
【００４３】
画面２６の右側には、データメンテナンス用のボタン２７〜３１及びメンテナンス用の欄３２〜３５が表示されている。ボタン２７，２８は、それぞれ、アウトコース及びインコースの組のスタート時刻をメンテナンスするためのものであり、ボタン２９は、メンテナンスを確認するためのものである。また、ボタン３０は、メンテナンスを終了し、図５が示す画面２６が図３が示す画面へ戻るためのものである。なお、ボタン３１は、後述されるように、初期の設定を行うためのものである。
【００４４】
欄３２は、選択された組のスタート時刻を変更するためのものであり、欄３３は、タイマー、すなわち各組のスタート時刻の間隔を変更するためのものである。また、欄３４，３５は、それぞれ、複数の組についてメンテナンスが必要である場合に、それら組がまとめて選択されるためのものである。
【００４５】
図５では、アウトコースのＡ−３組及びインコースのＢ−３組が削除される場合を表示している。このような場合は、例えば、プレー客が急用等により、プレーを続行することができなくなったことが原因として考えられる。
パーソナルコンピュータ１２のオペレータは、画面２６において、マウスのポインタ等を利用して９時１０分スタート予定のＡ−３組及びＢ−３組を選択する。そして、オペレータは、欄２７及び欄２８において、「なし」をクリックし、確認のボタン２９をクリックする。これにより、Ａ−３組及びＢ−３組は、削除される。
【００４６】
ここで、必要であれば、オペレータはさらに、画面２６において、マウスのポインタ等を利用して「９時１０分」が表示された部分を選択する。そして、オペレータは、ボタン２７及びボタン２８において、「つめる」をクリックすることにより、Ａ−３組を、又はＡ−３組と共にＢ−３組を、９時１５分スタートから９時１０分スタートへと変更することができる。このような変更が行われることにより、効率的で円滑なゴルフプレーの進行がなされる。
【００４７】
また、図５では、Ａ−６組の削除とＡ−７組以降の繰り上げのメンテナンスも同時に行われている。かかる削除、繰り上げの操作は、前述の要領で行われる。
さらに、図５では、Ｂ−６組以降の繰り下げのメンテナンスも同時に行われている。かかるメンテナンスを行うには、オペレータは、ボタン２８の「ずらす」をクリックし、欄３５に６及び最終組の番号を入力する。
【００４８】
そして、オペレータは、最後に終了ボタン３０をクリックすることにより、すべてのメンテナンスが終了され、画面２６は、図３が示す画面に変更される。このようにメンテナンスが行われた画面は、ＣＣＤカメラ１３で撮像され、ＴＶ受像器１５〜１８によって画像表示される。
【００４９】
次に、図５が示す画面２６において、オペレータがボタン３１をクリックすると、初期設定画面が表示される。図６は、この初期設定画面３６を表している。なお、このような初期設定は、例えば当日のゴルフ場の営業開始時に行われるものである。
この画面３６の仕様は、上記画面２６等と同様に予め設計されており、画面の設計は、所定のソフトウェア等により自由に行われる。
画面３６では、初期設定欄３７〜３９と、時間調整ボタン４０と、確認ボタン４１及びキャンセルボタン４２とが設けられている。
【００５０】
欄３７には、当日のゴルフ場におけるプレーの開始時間、すなわち上記最先スタート時刻が入力されるようになっている。ゴルフプレーの開始時間が入力されることによって、当日のゴルフ場のプレーが、当該時間から開始される。また、欄３８には、当日のゴルフプレーの終了時間が入力される。ただし、この時間は、オペレータがプレー終了時刻を予め予想して入力すれば十分であり、必要であれば、オペレータは、ゴルフ場の営業時間中に適宜メンテナンスすることができる。
【００５１】
また、時間調整ボタン４０は、液晶モニター１１に表示されている時刻（図３参照）が、ゴルフ場に設置されている時計が表示する時刻と一致していない場合等に、オペレータが、液晶モニター１１に表示されている時刻とゴルフ場に設置されている時計が表示する時刻とを一致させる際に使用される。このボタン４０によって時刻が調整されることにより、各プレー客は、円滑にプレーすることができる。
【００５２】
なお、確認ボタン４１は、当該初期設定を終了するときに、オペレータがクリックする。また、キャンセルボタン４２は、当該初期設定を中止し、又は設定をし直す場合にクリックされる。確認ボタン４１がクリックされると、図３が示す画面が液晶モニター１１に表示される。
本実施形態では、以上説明されたようなデータメンテナンスが行われるが、このメンテナンスは、上記メモリ２２（２３）に予め記憶された所定のプログラムに基づいてＣＰＵ２４（時刻調整手段）が演算処理することにより行われる。
また、本実施形態では、各組のスタート時刻の設定、変更、削除等のメンテナンスが行われる場合を示しているが、これに限定されるものではなく、メンテナンスのための上記所定のプログラムが変更されることにより、さらに、複雑なメンテナンスが行われることは勿論である。
【００５３】
次に、本実施形態の変形例が説明される。
上記実施形態では、図１が示すように、液晶モニター１１をＣＣＤカメラ１３で撮像し、ＴＶ受像器１５〜１８が画像表示する。
しかし、ＣＣＤカメラ１３の被写体がパーソナルコンピュータ１２の液晶モニター１１である場合は、ＣＣＤカメラ１３が使用されない態様であってもよい。
【００５４】
具体的には、例えばビデオキャプチャー（画像データ出力手段）がパーソナルコンピュータ１２に接続され、このビデオキャプチャーが接続配線１４を介してＴＶ受像器１５〜１８に接続されていてもよい。つまり、パーソナルコンピュータ１２は、直接ＴＶ受像器１５〜１８に接続されており、パーソナルコンピュータ１２は、液晶モニター１１に表示させるための上記指令を、直接接続配線１４を介してＴＶ受像器１５〜１８に出す。
これにより、ＴＶ受像器１５〜１８は、上記実施形態と同様に、上記各プレー客が属する組及びゴルフプレースタート時刻を画像表示することができ、表示装置１０は、一層簡略可される。その結果、表示装置１０は、一層安価に構成されるという利点がある。
【００５５】
【発明の効果】
以上のように本発明によれば、各プレー客が属する組情報とゴルフプレースタート時刻とが関連づけられた唯一の表示が画像データとして得られ、当該画像データに基づいて受像器が画像表示するので、各プレー客は、受像器を見ることによって自己のゴルフプレースタート時刻を確実に確認することができる。
また、かかる画像表示はきわめて簡単なシステムにより行われ、しかもゴルフ場の基幹業務システムとは無関係であるから、基幹業務システムを備えないゴルフ場においても、ゴルフプレースタート時刻の表示は、簡単且つ安価に行われる。
【図面の簡単な説明】
【図１】図１は、本発明の実施の形態に係る表示装置の構成が模式的に示された図である。
【図２】図２は、本発明の実施の形態に係るパーソナルコンピュータの構成が模式的に示された図である。
【図３】図３は、本発明の実施の形態に係るパーソナルコンピュータの液晶モニターの実際の画面が示された図であり、スタート時刻データが表示された画面が示されている。
【図４】図４は、本発明の実施の形態に係るパーソナルコンピュータの液晶モニターがＴＶ受像器により実際に画像表示された図である。
【図５】図５は、本発明の実施の形態に係るパーソナルコンピュータの液晶モニターの画面が示された図であり、スタート時刻データがメンテナンスされるときの画面が示されている。
【図６】図６は、本発明の実施の形態に係るパーソナルコンピュータの液晶モニターにより表示された初期設定画面を表したものである。
【符号の説明】
１０・・・表示装置
１１・・・液晶モニター
１２・・・パーソナルコンピュータ
１３・・・ＣＣＤカメラ
１４・・・接続配線
１５〜１８・・・ＴＶ受像器
２１・・・キーボード
２２，２３・・・メモリ
２４・・・ＣＰＵ
２５・・・データメンテナンスボタン
２６・・・画面
２７〜３１・・・ボタン
３２〜３５・・・欄
３６・・・初期設定画面
３７〜３９・・・欄
４０・・・時間調整ボタン
【図１】
2004008664.tif 000003
【図２】
2004008664.tif 000004
【図３】
2004008664.tif 000005
【図４】
2004008664.tif 000006
【図５】
2004008664.tif 000007
【図６】
2004008664.tif 000008